(57)【特許請求の範囲】
【請求項１】
ワイヤハーネスを構成する電線に対して端末処理の作業が行われる作業テーブルに支持される電線作業治具であって、
前記電線を把持する複数の把持部を有する電線把持具と、
前記電線へテープを巻き付けるテープ巻き作業時に前記電線を係止可能な電線係止部と、を備え、
前記作業テーブルの縁部に沿って移動可能に支持されている
ことを特徴とする電線作業治具。
【請求項２】
前記電線係止部には、係止させた前記電線をガイドする湾曲形状の縁部を有する湾曲凹部が設けられている
ことを特徴とする請求項１に記載の電線作業治具。
【請求項３】
前記電線把持具を着脱可能に保持する把持具着脱部を備える
ことを特徴とする請求項１または請求項２に記載の電線作業治具。
【請求項４】
請求項１から請求項３のいずれか一項に記載の電線作業治具と、
前記電線に対して各種の端末処理を行う複数の端末処理装置を備えた作業テーブルと、
前記作業テーブルの縁部に沿って設けられ、前記電線作業治具を前記作業テーブルの縁部に沿って移動可能に支持するガイドレールと、を備える
ことを特徴とする作業ライン。
【発明の詳細な説明】
【技術分野】
【０００１】
本発明は、電線作業治具及び作業ラインに関する。
【背景技術】
【０００２】
自動車等の車両に配索されるワイヤハーネスは、複数本の電線を束ねて構成される。このワイヤハーネスを構成する電線は、その端部で被覆を除去して端子を圧着等によって接続する端末処理が行われる。
【０００３】
このようなワイヤハーネスを製造するために、端末処理が行われる作業テーブルに電線をクランプする治具を設置し、端末処理を行った電線を治具に保持させることが知られている（例えば、特許文献１参照）。
【先行技術文献】
【特許文献】
【０００４】
【特許文献１】特開平６−２２３６４６号公報
【発明の概要】
【発明が解決しようとする課題】
【０００５】
ところで、電線へ端末処理を行う工程において、電線の端部を把持して電線の端部近傍部分にテープを巻き付けるテープ巻き作業を行う場合がある。このとき、電線がばらけたり振れると、電線にテープを円滑に巻き付けることが困難となり、端末処理の作業性が低下してしまう。
【０００６】
本発明は、上述した事情に鑑みてなされたものであり、その目的は、電線に端末処理を行う工程において、電線に対するテープ巻きを円滑に行うことが可能な電線作業治具及びそれを備えた作業ラインを提供することにある。
【課題を解決するための手段】
【０００７】
前述した目的を達成するために、本発明に係る電線作業治具及び作業ラインは、下記（１）〜（４）を特徴としている。
（１）  ワイヤハーネスを構成する電線に対して端末処理の作業が行われる作業テーブルに支持される電線作業治具であって、
前記電線を把持する複数の把持部を有する電線把持具と、
前記電線へテープを巻き付けるテープ巻き作業時に前記電線を係止可能な電線係止部と、を備え、
前記作業テーブルの縁部に沿って移動可能に支持されている
ことを特徴とする電線作業治具。
（２）  前記電線係止部には、係止させた前記電線をガイドする湾曲形状の縁部を有する湾曲凹部が設けられている
ことを特徴とする（１）に記載の電線作業治具。
（３）  前記電線把持具を着脱可能に保持する把持具着脱部を備える
ことを特徴とする（１）または（２）に記載の電線作業治具。
（４）  前記電線に対して各種の端末処理を行う複数の端末処理装置を備えた作業テーブルと、
前記作業テーブルの縁部に沿って設けられ、前記電線作業治具を前記作業テーブルの縁部に沿って移動可能に支持するガイドレールと、を備える
ことを特徴とする（１）から（３）のいずれかに記載の電線作業治具。
【０００８】
上記（１）の構成の電線作業治具では、電線へテープを巻き付けるテープ巻き作業時に電線係止部へ電線を係止させることで、電線のばらけや振れを抑えることができる。これにより、電線へのテープ巻き作業の作業性を向上させることができる。そして、電線把持具の把持部へテープ巻きや作業テーブルでの端末処理を行った複数本の電線をまとめて把持させることができる。更に、作業テーブルの縁部に沿って移動させて作業テーブルでの作業エリアから外れた位置に配置させることができる。これにより、作業テーブルでの端末処理時に電線作業治具が邪魔になるようなことがなく、端末処理作業の作業性を向上させることができる。
上記（２）の構成の電線作業治具では、電線は、テープ巻き作業時に作業者によって引っ張られた際に、湾曲凹部の湾曲形状の縁部に接触しながら端部側の移動に追従して円滑にガイドされる。これにより、電線へのテープ巻きを円滑に行うことができる。
上記（３）の構成の電線作業治具では、電線把持具の把持部へテープ巻きや作業テーブルでの端末処理を行った電線を把持させ、この電線把持具を把持具着脱部から取り外すことで、テープ巻きや端末処理が行われた電線を電線把持具ごと次工程へ搬送することができる。
上記（４）の構成の作業ラインでは、電線作業治具を作業テーブルの縁部に沿って移動させながら作業テーブルの端末処理装置によって電線に対して各種の端末処理を行い、端末処理した電線を電線作業治具の電線把持具に把持させることができる。これにより、電線に対する各種の端末処理作業を円滑に行うことができ、ワイヤハーネスの生産性を高めることができる。
【発明の効果】
【０００９】
本発明によれば、電線に端末処理を行う工程において、電線に対するテープ巻きを円滑に行うことが可能な電線作業治具及びそれを備えた作業ラインを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係る電線作業治具及び作業ラインを説明する作業テーブルの斜視図である。
【図２】図２は、作業テーブルに支持された本実施形態に係る電線作業治具の斜視図である。
【図３】図３は、電線作業治具の台座部の斜視図である。
【図４】図４は、電線作業治具に着脱可能に設けられる電線把持具の斜視図である。
【図５】図５は、テープ巻き作業を説明する電線作業治具の斜視図である。
【発明を実施するための形態】
【００１２】
本発明に関する具体的な実施形態について、各図を参照しながら以下に説明する。
【００１３】
以下、本発明に係る実施の形態の例を、図面を参照して説明する。
図１は、本実施形態に係る電線作業治具及び作業ラインを説明する作業テーブルの斜視図である。
図１に示すように、本実施形態に係る電線作業治具１０は、作業テーブル１に支持されている。
【００１４】
作業テーブル１では、電線Ｃに対して各種の端末処理の作業が行われる。電線Ｃは、自動車等の車両に配索されるワイヤハーネスを構成するもので、導体の周囲を被覆で覆った絶縁電線、または、導体の周囲に絶縁体、外部導体及び被覆が設けられたシールド電線などである。
【００１５】
作業テーブル１には、皮剥き機２、端子圧着機３などの各種の端末処理装置が設けられている。この作業テーブル１では、皮剥き機２による電線Ｃの皮剥き作業、端子圧着機３による電線Ｃへの端子Ｔの圧着作業などの電線Ｃに対する各種の端末処理が行われる。皮剥き機２には、電線挿入口２ａが設けられている。皮剥き機２は、電線挿入口２ａへ電線Ｃの端部を挿入した状態で作動されることで、電線Ｃの端部における被覆を除去する。端子圧着機３には、電線挿入口３ａが設けられている。また、端子圧着機３には、端子Ｔが、長尺のキャリアに連結された連鎖端子ＬＴの状態で供給される。端子圧着機３は、電線挿入口３ａに皮剥き後の電線Ｃの端部を挿入した状態で作動されることで、連鎖端子ＬＴの状態の端子Ｔをキャリアから切り離して電線Ｃの端部に圧着接続する。
【００１６】
図２は、作業テーブルに支持された本実施形態に係る電線作業治具の斜視図である。
【００１７】
図２に示すように、電線作業治具１０は、台座部１１と、電線把持具２０と、電線係止部３０とを備えている。電線把持具２０及び電線係止部３０は、それぞれ台座部１１に設けられている。
【００１８】
図３は、電線作業治具の台座部の斜視図である。
図３に示すように、台座部１１は、平板状に形成されている。作業テーブル１には、手前側の縁部１ａにガイドレール５が設けられており、台座部１１は、その一部がガイドレール５に差し込まれてスライド可能に支持されている。これにより、電線作業治具１０は、作業テーブル１の手前側の縁部１ａに沿って移動可能とされている。台座部１１は、把持具着脱部１２を有しており、電線把持具２０は、把持具着脱部１２に着脱可能とされている。把持具着脱部１２は、一対の保持部材１３を有している。これらの保持部材１３は、互いに間隔をあけて台座部１１上に固定されている。保持部材１３には、互いに対向する側に、係合凹部１４を有している。また、台座部１１には、手前側へ突出する棒状のレバー１５が設けられている。
【００１９】
図４は、電線作業治具に着脱可能に設けられる電線把持具の斜視図である。
図４に示すように、電線把持具２０は、複数の把持部２１を有している。電線把持具２０は、板状に形成された把持具本体２２と、この把持具本体２２の一側面に突設された複数のクリップ部２３とを有している。クリップ部２３は、把持具本体２２の長手方向に配列されており、これらのクリップ部２３の間が把持部２１とされている。この把持部２１には、電線Ｃが差し込まれる。これにより、電線Ｃは、クリップ部２３によって挟持された状態で把持部２１に把持される。この電線把持具２０は、台座部１１の把持具着脱部１２に対して着脱される。電線把持具２０は、把持具本体２２の両端を、把持具着脱部１２の各保持部材１３に形成された係合凹部１４に嵌め込んで係合させることで、把持具着脱部１２に装着される。この状態で、電線把持具２０は、その把持部２１を構成するクリップ部２３が手前側へ突出された状態となる。したがって、電線把持具２０を把持具着脱部１２に装着させた状態で、電線把持具２０の把持部２１に電線Ｃを把持させることが可能となっている。
【００２０】
電線係止部３０は、台座部１１における一端側に設けられている。この電線係止部３０は、樹脂から成形されたもので、上方に突出する係止突部３１を有している。電線係止部３０は、係止突部３１における電線把持具２０が装着される把持具着脱部１２側に、縁部が円弧状に湾曲した湾曲凹部３２を有している。この電線係止部３０には、電線Ｃが係止可能とされている。電線Ｃは、電線係止部３０の係止突部３１における奥側である作業テーブル１側へ通され、その端部側が湾曲凹部３２を通して手前側へ引き出される。これにより、電線Ｃは、電線係止部３０に係止された状態とされる。
【００２１】
次に、上記構造の電線作業治具１０と、各種の端末処理装置が搭載された作業テーブル１と、電線作業治具１０を作業テーブル１の縁部１ａに沿って移動可能に支持するガイドレール５とを備える本実施形態に係る作業ラインにおける電線Ｃの端末処理の作業例について説明する。
【００２２】
電線作業治具１０の把持具着脱部１２に電線把持具２０を装着する。
【００２３】
皮剥き機２によって各電線Ｃの端部における被覆を除去し、各電線Ｃの導体を露出させる皮むき作業を行う。電線Ｃの導体を研磨し、端子圧着機３で電線Ｃの端部に端子Ｔを圧着接続する端子圧着作業を行う。この皮剥き作業及び端子圧着作業時には、電線作業治具１０を、皮剥き機２及び端子圧着機３の手前の作業エリアから移動させ、皮剥き作業及び端子圧着作業の邪魔にならない作業エリア外へ配置させておく。このとき、作業者は、台座部１１のレバー１５を把持して水平方向へスライドさせることで、電線作業治具１０を作業エリア外へ容易に移動させることができる。
【００２４】
皮剥き作業及び端子圧着作業の後、電線作業治具１０を移動させて作業エリアに戻す。このときも、作業者は、台座部１１のレバー１５を把持して水平方向へスライドさせることで、電線作業治具１０を作業エリアへ容易に移動させることができる。作業エリアに戻した電線作業治具１０の把持部２１に、電線Ｃのうちのテープ巻きが必要な電線Ｃ以外の電線Ｃを差し込んで把持させる。
【００２５】
図５は、テープ巻き作業を説明する電線作業治具の斜視図である。
図５に示すように、テープ巻きが必要な電線Ｃを、電線作業治具１０の電線係止部３０における係止突部３１の奥側である作業テーブル１側へ通し、電線Ｃの端部側を、湾曲凹部３２を通して手前側へ引き出す。この状態で、作業者は、電線Ｃの端部を把持し、電線Ｃの端部近傍の所定箇所にテープＴＰを巻き付けるテープ巻き作業を行う。このテープ巻き作業時には、電線Ｃは、電線係止部３０の係止突部３１に係止されているので、ばらけや振れが抑えられる。
【００２６】
また、電線係止部３０の係止突部３１における作業テーブル１側へ通された電線Ｃは、その端部側が湾曲凹部３２を通して手前側へ引き出されている。したがって、電線Ｃは、テープ巻き作業時に作業者によって引っ張られたり押し戻された際に、湾曲凹部３２の緩やかな湾曲した縁部に接触しながら端部側の移動に追従して円滑にガイドされる。これにより、電線Ｃへのテープ巻きを円滑に行うことができる。
【００２７】
テープ巻きした電線Ｃを電線作業治具１０の電線把持具２０の所定の把持部２１に差し込んで把持させる。
【００２８】
電線Ｃに対する各種の端末処理を行い、電線把持具２０の把持部２１に全ての電線Ｃを差し込んで把持させたら、電線作業治具１０の把持具着脱部１２から電線把持具２０を取り外し、次工程へ搬送する。
【００２９】
このように、本実施形態に係る電線作業治具１０によれば、電線ＣへテープＴＰを巻き付けるテープ巻き作業時に電線係止部３０へ電線Ｃを係止させることで、電線Ｃのばらけや振れを抑えることができる。これにより、電線Ｃへのテープ巻き作業の作業性を向上させることができる。そして、電線把持具２０の把持部２１へテープ巻きや作業テーブル１での端末処理を行った複数本の電線Ｃをまとめて把持させることができる。
【００３０】
また、電線係止部３０には、係止させた電線Ｃをガイドする湾曲形状の縁部を有する湾曲凹部３２が設けられている。したがって、電線Ｃは、作業者によって引っ張られたり押し戻された際に、湾曲凹部３２の湾曲形状の縁部に接触しながらテープ巻き時の端部側の移動に追従して円滑にガイドされる。これにより、電線Ｃへのテープ巻きを円滑に行うことができる。
【００３１】
しかも、電線作業治具１０は、作業テーブル１の縁部１ａに沿って移動可能に支持されているので、この電線作業治具１０を作業テーブル１の縁部１ａに沿って移動させて作業テーブル１での作業エリアから外れた位置に配置させることができる。これにより、作業テーブル１での端末処理時に電線作業治具１０が邪魔になるようなことがなく、端末処理作業の作業性を向上させることができる。
【００３２】
また、電線把持具２０の把持部２１へテープ巻きや作業テーブル１での端末処理を行った電線Ｃを把持させ、この電線把持具２０を把持具着脱部１２から取り外すことで、テープ巻きや端末処理が行われた電線Ｃを電線把持具２０ごと次工程へ搬送することができる。
【００３３】
そして、上記の構成の電線作業治具１０を備えた作業ラインによれば、電線作業治具１０を作業テーブル１の縁部１ａに沿って移動させながら作業テーブル１上の皮剥き機２、端子圧着機３などの各種の端末処理装置によって電線Ｃに対して各種の端末処理を行い、端末処理した電線Ｃを電線作業治具１０の電線把持具２０に把持させることができる。これにより、電線Ｃに対する各種の端末処理作業を円滑に行うことができ、ワイヤハーネスの生産性を高めることができる。
【００３４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３５】
ここで、上述した本発明に係る電線作業治具及び作業ラインの実施形態の特徴をそれぞれ以下［１］〜［５］に簡潔に纏めて列記する。
［１］  ワイヤハーネスを構成する電線（Ｃ）に対して端末処理の作業が行われる作業テーブル（１）に支持される電線作業治具（１０）であって、
前記電線（Ｃ）を把持する複数の把持部（２１）を有する電線把持具（２０）と、
前記電線（Ｃ）へテープ（ＴＰ）を巻き付けるテープ巻き作業時に前記電線（Ｃ）を係止可能な電線係止部（３０）と、を備える
ことを特徴とする電線作業治具。
［２］  前記電線係止部（３０）には、係止させた前記電線（Ｃ）をガイドする湾曲形状の縁部を有する湾曲凹部（３２）が設けられている
ことを特徴とする［１］に記載の電線作業治具。
［３］  前記作業テーブル（１）の縁部（１ａ）に沿って移動可能に支持されている
ことを特徴とする［１］または［２］に記載の電線作業治具。
［４］  前記電線把持具（２０）を着脱可能に保持する把持具着脱部（１２）を備える
ことを特徴とする［１］から［３］のいずれかに記載の電線作業治具。
［５］  上記［１］から［４］のいずれかに記載の電線作業治具（１０）と、
前記電線（Ｃ）に対して各種の端末処理を行う複数の端末処理装置（皮剥き機２、端子圧着機３）を備えた作業テーブル（１）と、
前記作業テーブル（１）の縁部（１ａ）に沿って設けられ、前記電線作業治具（１０）を前記作業テーブル（１）の縁部（１ａ）に沿って移動可能に支持するガイドレール（５）と、を備える
ことを特徴とする作業ライン。
【符号の説明】
【００３６】
１：作業テーブル
１ａ：縁部
２：皮剥き機（端末処理装置）
３：端子圧着機（端末処理装置）
５：ガイドレール
１０：電線作業治具
１２：把持具着脱部
２０：電線把持具
２１：把持部
３０：電線係止部
３２：湾曲凹部
Ｃ：電線
ＴＰ：テープ
【図１】
0006683501.tif 000002
【図２】
0006683501.tif 000003
【図３】
0006683501.tif 000004
【図４】
0006683501.tif 000005
【図５】
0006683501.tif 000006